(57)【要約】【課題】表示部を備える携帯端末において屋外での表示部の視認性を十分に確保する。【解決手段】携帯端末は、画像を表示するための画面を有する表示部と、表示部の周辺の外光の量（周辺照度）および外光中の赤色成分の割合（周辺Ｒ率）を検出可能に構成された外光センサと、制御部とを備える。制御部は、周辺照度がしきい値を超える場合、携帯端末が屋外の太陽光下で使用されていると判定し、太陽光によって視認性が最も低下し易い赤色のガンマ値を周辺Ｒ率に応じて低下させることによって赤色輝度を増加させる。【選択図】図５
2016224095.tif 000002
【特許請求の範囲】
【請求項１】
画像を表示するための画面を有する表示部と、
前記表示部の周辺の外光の量および前記外光中の赤色成分の割合を検出可能に構成された外光検出部と、
前記外光の量がしきい量を超える場合、前記外光中の赤色成分の割合に応じて前記表示部が出力する赤色輝度を調整可能に構成された制御部とを備える、携帯端末。
【請求項２】
前記制御部は、前記外光中の赤色成分の割合がしきい割合を超える場合、前記外光中の赤色成分の割合が前記しきい割合未満である場合よりも前記表示部が出力する赤色輝度を大きい値にする、請求項１に記載の携帯端末。
【請求項３】
前記携帯端末は、水平面に対する前記表示部の前記画面の傾斜角を検出可能な角度検出部をさらに備え、
前記制御部は、前記外光の量が前記しきい量を超える場合、前記外光中の赤色成分の割合に加えて前記画面の傾斜角に基づいて前記表示部が出力する赤色輝度を調整する、請求項２に記載の携帯端末。
【請求項４】
前記制御部は、前記外光中の赤色成分の割合が前記しきい割合を超える場合でかつ前記画面の傾斜角がしきい角を超える場合には、前記外光中の赤色成分の割合が前記しきい割合を超える場合でかつ前記画面の傾斜角が前記しきい角未満である場合よりも前記表示部が出力する赤色輝度を大きい値にする、請求項３に記載の携帯端末。
【請求項５】
前記制御部は、前記外光中の赤色成分の割合が前記しきい割合未満である場合でかつ前記画面の傾斜角がしきい角を超える場合には、前記外光中の赤色成分の割合が前記しきい割合未満である場合でかつ前記画面の傾斜角が前記しきい角未満である場合よりも前記表示部が出力する赤色輝度を大きい値にする、請求項３に記載の携帯端末。
【請求項６】
前記制御部は、前記外光中の赤色成分の割合が前記しきい割合を超える場合でかつ前記画面の傾斜角がしきい角を超える場合には、前記外光中の赤色成分の割合が前記しきい割合を超える場合でかつ前記画面の傾斜角が前記しきい角未満である場合、前記外光中の赤色成分の割合がしきい割合未満である場合でかつ前記画面の傾斜角がしきい角を超える場合、前記外光中の赤色成分の割合が前記しきい割合未満である場合でかつ前記画面の傾斜角が前記しきい角未満である場合よりも、前記表示部が出力する赤色輝度を大きい値にする、請求項３に記載の携帯端末。
【請求項７】
画像を表示するための画面を有する表示部と、
前記画面の周辺の外光の量を検出可能に構成された外光検出部と、
水平面に対する前記画面の傾斜角を検出可能な角度検出部と、
前記外光の量がしきい量を超える場合、前記画面の傾斜角に基づいて前記表示部が出力する赤色輝度を調整可能に構成された制御部とを備える、携帯端末。
【請求項８】
画像を表示するための画面を有する表示部と、前記画面の周辺の外光の量および前記外光中の赤色を含む複数の色の成分を検出可能に構成された外光検出部とを備える携帯端末の制御方法であって、
前記外光の量がしきい量を超えるか否かを判定するステップと、
前記外光の量が前記しきい量を超えると判定された場合、前記外光中の赤色成分の割合に基づいて前記表示部が出力する赤色輝度を調整するステップとを含む、携帯端末の制御方法。
【発明の詳細な説明】
【技術分野】
【０００１】
本開示は、携帯端末および携帯端末の制御方法に関する。
【背景技術】
【０００２】
従来から、カメラと液晶ディスプレイ（Liquid  Crystal  Display、以下「ＬＣＤ」ともいう）とを備えた携帯端末が知られている。このような携帯端末には、たとえば特許文献１に示されるように、カメラによる撮影時にＬＣＤ周辺の外光（太陽光や人工照明光など）の量を検出し、外光の量が所定値を超える場合にＬＣＤのバックライトの光量を増加させることによってＬＣＤの画像を視認し易くする機能（いわゆるオートバックライト機能）を備えるものがある。
【先行技術文献】
【特許文献】
【０００３】
【特許文献１】特開２００７−３２４８８８号公報
【発明の概要】
【発明が解決しようとする課題】
【０００４】
上記の携帯端末は、バックライトの光量を増加させることによってＬＣＤの画像を視認し易くしている。しかしながら、バックライトの光量には限界があるため、外光が非常に強い環境下（たとえば屋外での太陽光下など）では、バックライトの光量を限界まで増加させたとしてもＬＣＤの視認性を十分に確保できないことが懸念される。
【０００５】
それゆえに、本開示の目的は、表示部（たとえばＬＣＤなど）を備える携帯端末において屋外での表示部の視認性を十分に確保することである。
【課題を解決するための手段】
【０００６】
本開示による携帯端末は、画像を表示するための画面を有する表示部と、表示部の周辺の外光の量および外光中の赤色成分の割合を検出可能に構成された外光検出部と、外光の量がしきい量を超える場合、外光中の赤色成分の割合に基づいて表示部が出力する赤色輝度を調整可能に構成された制御部とを備える。
【０００７】
本開示による制御方法は、画像を表示するための画面を有する表示部と、画面の周辺の外光の量および外光中の赤色を含む複数の色の成分を検出可能に構成された外光検出部とを備える携帯端末の制御方法であって、外光の量がしきい量を超えるか否かを判定するステップと、外光の量がしきい量を超えると判定された場合、外光中の赤色成分の割合に基づいて表示部が出力する赤色輝度を調整するステップとを含む。
【発明の効果】
【０００８】
本開示によれば、表示部を備える携帯端末において屋外での表示部の視認性を十分に確保することができる。
【図面の簡単な説明】
【０００９】
【図１】携帯端末の構成を表わす図である。
【図２】携帯端末の正面（表面）側からの外観を表わす図である。
【図３】携帯端末の背面（裏面）側からの外観を表わす図である。
【図４】制御部がＲ輝度を増加させる手法を説明するための図である。
【図５】制御部が赤色ガンマ値を設定する手法の一例を説明するための図である。
【図６】制御部の処理手順を示すフローチャートである。
【発明を実施するための形態】
【００１０】
以下、実施の形態について、図面を用いて説明する。
図１は、本実施の形態による携帯端末１の構成を表わす図である。図２は、図１の携帯端末１の正面（表面）側からの外観を表わす図である。図３は、図１の携帯端末１の背面（裏面）側からの外観を表わす図である。
【００１１】
図１、図２、図３を参照して携帯端末１について説明する。携帯端末１は、アンテナ２２と、無線通信部２１と、近接センサ６と、フロントカメラ８と、リアカメラ１８と、レシーバ７と、マイク１２と、ボタン群９と、タッチスクリーン１４と、記憶部２３と、外光センサ２０と、傾きセンサ３０と、制御部１００とを備える。タッチスクリーン１４は、表示部１０と、タッチパネル１３とを含む。
【００１２】
レシーバ７は、制御部１００から出力される通話相手の音声または音楽データの音声などを出力する。レシーバ７は、たとえば、電磁式スピーカなどで構成される。あるいは、レシーバ７は、圧電振動素子から構成され、表面のパネルを振動させることでユーザに音声を伝えるものであってもよい。
【００１３】
マイク１２は、通話相手の音声及び周辺の音声などを受けて、制御部１００へ出力する。近接センサ６は、近隣の物体の存在を非接触で検出する。近接センサ６は、たとえば、表示部１０が顔に近付けられたことを検出する。リアカメラ１８およびフロントカメラ８は、被写体を撮影する。
【００１４】
ボタン群９は、各種の処理のためのユーザの指示操作を受け付ける操作受付部として機能する。操作受付部としては、例えば、ボタン群９のように、物理的機構として実現されるボタン（ハードウェアキー）、タッチパネル１３を利用してソフトウェア的に再現されたキー（ソフトキー）などが挙げられる。
【００１５】
無線通信部２１は、アンテナ２２を通じて、無線基地局と通信を行なう。無線通信部２１は、Ａ／Ｄコンバータ、Ｄ／Ａコンバータ、変調部、復調部、周波数コンバータ、増幅部などを含む。
【００１６】
表示部１０は、制御部１００から出力される画像データに基づく画像を表示するための画面１１（図２参照）を有する。表示部１０はカラー液晶ディスプレイである。すなわち、表示部１０は、３色（赤（Ｒ）、緑（Ｇ）、青（Ｂ））あるいは４色（赤（Ｒ）、緑（Ｇ）、青（Ｂ）、白（Ｗ））の光をそれぞれ透過させる各色のフィルタが規則的に配列されたフィルタ層と、白色光を発するバックライトと、バックライトとフィルタ層との間に配置された液晶層とを備える。液晶層は、バックライトから各色のフィルタに向けて透過する光量を各色ごとに別々に調整可能に構成される。
【００１７】
画面１１の明るさは、バックライトの光量を変更することによって調整される。画面１１の色調は、画面１１が出力する赤、緑、青（あるいは赤、緑、青、白）の輝度の組合せを変更することによって調整される。各色の輝度（各色のフィルタを透過する光量）は、液晶層の液晶分子の状態を制御することによって、それぞれ別々に調整することができる。
【００１８】
なお、本実施の形態による表示部１０はバックライトを有するＬＣＤであるが、表示部１０はバックライトを有さないディスプレイ、たとえば有機ＥＬ（Electro-Luminescence）ディスプレイなどであってもよい。
【００１９】
タッチパネル１３は、ユーザからの入力を受け付ける入力受付部として機能する。タッチパネル１３は、静電容量方式に従って、物体（ユーザの指またはペンなど）の接触または近接を検出するが、タッチパネルはこれに限定されず、例えば、赤外線方式、または電磁誘導方式などの方式に従って、ユーザの入力を検出してもよい。なお、入力受付部としては、タッチパネル以外にも、例えば、接触せず入力を受け付けるものであればよく、例えば、近接センサなどが挙げられる。なお、入力受付部としては、他に、ハードウェアキーなどであってもよい。
【００２０】
外光センサ２０は、表示部１０周辺に照射される外光の量（以下「周辺照度」ともいう）と、外光中に含まれる赤色成分の割合（以下「周辺Ｒ率」ともいう）とを検出可能に構成される。なお、本実施の形態においては周辺照度および周辺Ｒ率を１つの外光センサ２０で検出するが、周辺照度および周辺Ｒ率をそれぞれ別々のセンサで検出するようにしてもよい。
【００２１】
傾きセンサ３０は、水平面に対する表示部１０の画面１１の傾斜角（以下「画面傾き」ともいう）を検出可能に構成される。傾きセンサ３０は、加速度センサあるいはジャイロセンサなどによって実現することができる。
【００２２】
記憶部２３は、表示部１０の画面１１に表示させるための画像データ、レシーバ７に出力させるための音声データ、ユーザがオートバックライト機能を「有効（オン）」にすることを選択しているか否かを示すデータなど、さまざまな情報を記憶する。
【００２３】
図２に示すように、レシーバ７、フロントカメラ８、および近接センサ６は、携帯端末１の筐体２の正面の上部に配置される。表示部１０およびタッチパネル１３は、携帯端末１の筐体２の正面の中央に配置される。表示部１０上にタッチパネル１３が配置される。なお、表示部１０およびタッチパネル１３は、携帯端末１の筐体２の正面の中央からずれた位置に配置されていてもよい。マイク１２は、携帯端末１の筐体２の正面の下部に配置される。
【００２４】
ボタン９Ｄ，９Ｅ，９Ｆは、携帯端末１の筐体２の正面の下部に配置される。ボタン９Ａは、携帯端末１の筐体２の側面の上側に配置される。ボタン９Ｂ，９Ｃは、携帯端末１の筐体２の側面の横側に配置される。
【００２５】
ボタン９Ｄは、バックボタンである。ボタン９Ｅは、ホームボタンである。ボタン９Ｆは、メニューボタンである。ボタン９Ａは、電源オン／オフボタンである。ボタン９Ｂは、音量アップボタンである。ボタン９Ｃは、音量ダウンボタンである。
【００２６】
図３に示すように、リアカメラ１８は、携帯端末１の筐体２の背面の上部に配置される。
【００２７】
制御部１００は、携帯端末１の全体を制御する。制御部１００は、ユーザがオートバックライト機能を「有効（オン）」にすることを選択している場合、外光センサ２０によって検出された周辺照度に応じて表示部１０のバックライト光量を自動調整する。これにより、画面１１に表示される画像全体の明るさが周辺照度に応じて自動的に調整される。
【００２８】
制御部１００は、表示部１０のガンマ特性（ガンマ値）を調整することができる。ガンマ特性とは、ディスプレイの入力と出力との関係を示す特性である。ガンマ特性は、ディスプレイに入力される色の階調（表現可能な色の濃さの段階数）を「Ｘ」、ディスプレイに出力される色の輝度を「Ｙ」、ガンマ値を「γ」とすると、「Ｙ＝Ｘγ」という式で表される。
【００２９】
本実施の形態において、各色のガンマ値の初期値はいずれも「２．２」に設定されている。制御部１００は、各色のガンマ値を別々に変更することができる。これにより、各色の輝度が別々に調整され、画面１１に表示される画像全体の色調が変更される。たとえば、赤色のガンマ値（以下「Ｒガンマ値」ともいう）を変更すると、画面１１の全体の赤色の輝度が変更されるため、画面１１に表示される画像全体の赤色特性が変更される。
【００３０】
以上のような構成を有する携帯端末１が屋外の太陽光下で使用される場合、屋内で使用される場合および夜間に使用される場合よりも周辺照度が大きく画面１１に表示される画像の明るさが相対的に低下するため、画面１１に表示される画像の視認性が低下してしまう。特に、太陽光が照射されると、画面１１から出力される可視光成分のうち赤色成分が他の色成分よりも大きく減衰されることが分っている。すなわち、太陽光下では、赤色の視認性が他色の視認性よりも低下し易い。
【００３１】
この対策として、上述のオートバックライト機能によってバックライト光量を増加させて画面１１の明るさを増加させることが考えられる。しかしながら、バックライト光量には限界があるため、周辺照度が非常に大きい環境下（たとえば屋外での太陽光下など）では、仮にバックライト光量を上限値まで増加させたとしても画像の視認性を十分には確保できないことが懸念される。また、バックライト光量を増加させた状態が継続すると、携帯端末１の表面温度が過度に上昇したり、消費電力が過度に大きくなったりするという問題も生じ得る。
【００３２】
そこで、本実施の形態による制御部１００は、周辺照度がしきい値Ｅ０を超える場合、携帯端末１が屋外の太陽光下で使用されていると判定し、太陽光によって視認性が最も低下し易い赤色成分の輝度（以下「Ｒ輝度」という）を増加させることによって画像の視認性を向上させる。この際、画面１１で反射した太陽光をユーザが受ける量（以下「ユーザ受光量」という）が画面傾きによって変化することに鑑み、制御部１００は、画面傾きを考慮してＲ輝度の増加量を調整する。
【００３３】
図４は、制御部１００がＲ輝度を増加させる手法を説明するための図である。図４において、横軸は表示部１０に入力される赤色の階調（以下「Ｒ階調」という）を表わし、縦軸は表示部１０が出力するＲ輝度を表わす。なお、Ｒ階調が最小値である場合は最も濃い赤（黒）を表わし、Ｒ階調が最大値である場合は最も薄い赤を表わす。
【００３４】
表示部１０の赤色のガンマ特性は、Ｒ階調を「Ｘ」、Ｒ輝度を「Ｙ」、Ｒガンマ値を「γ」とすると、上述したように「Ｙ＝Ｘγ」という式で表される。Ｒガンマ値を初期値「２．２」に設定した場合、Ｒ階調に対するＲ輝度の値をプロットした曲線（以下「Ｒガンマカーブ」という）は、図４の実線で示される曲線となる。Ｒガンマ値を初期値２．２よりも小さい「２．１」に設定した場合、Ｒガンマカーブは、中間階調領域において実線よりもＲ輝度の大きい一点鎖線で示される曲線となる。Ｒガンマ値を２．１よりもさらに小さい「２．０」に設定した場合、Ｒガンマカーブは、中間階調領域において一点鎖線よりもさらにＲ輝度の大きい二点鎖線で示される曲線となる。
【００３５】
このように、中間階調領域においては、Ｒガンマ値が小さいほどＲ輝度が大きい値となる。制御部１００は、Ｒガンマ値を初期値「２．２」よりも小さい「２．１」あるいはさらに小さい「２．０」に変更することによってＲ輝度を増加させる。
【００３６】
図５は、携帯端末１が太陽光下で使用される場合に制御部１００がＲガンマ値を設定する手法の一例を説明するための図である。図５において、「周辺Ｒ率」欄に記載の「夕方状態」は周辺Ｒ率がしきい値Ｐ０を超える状態を表わし、「非夕方状態」は周辺Ｒ率がしきい値Ｐ０未満である状態を表わす。また、図５において、「画面傾き」欄に記載の「傾斜状態」は画面傾きがしきい値Ａ０を超える状態を表わし、「水平状態」は画面傾きがしきい値Ａ０未満である状態を表わす。また、図５において、周辺照度「小」は周辺照度がしきい値Ｅ０以上でかつしきい値Ｅ１（Ｅ０＜Ｅ１）未満である状態を表わし、周辺照度「中」は周辺照度がしきい値Ｅ１以上でかつしきい値Ｅ２（Ｅ１＜Ｅ２）未満である状態を表わし、周辺照度「大」は周辺照度がしきい値Ｅ２以上である状態を表わす。
【００３７】
夕焼けなどの影響で周辺Ｒ率が大きいと画面１１の周辺も全体的に赤みを帯びるため、画面１１に表示される画像の赤色の視認性が相対的に低下する。さらに、画面傾きによってはユーザ受光量が増加し、画面１１の赤色の視認性がさらに低下することも想定される。
【００３８】
この点に鑑み、制御部１００は、周辺Ｒ率がしきい値Ｐ０を超えるか否か、および画面傾きがしきい値Ａ０を超えるか否かを判定する。そして、制御部１００は、これらの判定結果に応じて画面１１の周辺状況をパターンＡ〜Ｄのいずれかに層別し、層別されたパターンに応じてＲガンマ値を変更する処理を行なう。
【００３９】
「夕方状態」でかつ「傾斜状態」である場合、パターンＡに層別される。パターンＡでは、夕焼けによって赤色の視認性が低下するだけでなく、ユーザ受光量が多く画像の視認性がさらに低下することが想定される。この点を考慮し、制御部１００は、パターンＡである場合、周辺照度「中」および「大」のときに、Ｒガンマ値を初期値「２．２」から「２．０」に低下させることによってＲ輝度を大きく増加させる。
【００４０】
「夕方状態」でかつ「水平状態」である場合、パターンＢに層別される。パターンＢでは、夕焼けによって赤色の視認性が低下するが、ユーザ受光量はパターンＡよりも軽減されることが想定される。この点を考慮し、制御部１００は、パターンＢである場合、パターンＡに比べて、周辺照度「中」のときのＲ輝度の増加量を軽減する。すなわち、周辺照度「中」のときのＲガンマ値を「２．２」ではなく「２．１」とする。
【００４１】
「非夕方状態」でかつ「傾斜状態」である場合、パターンＣに層別される。パターンＣでは、夕焼けによる赤色の視認性の低下は生じないが、ユーザ受光量は多いため画像の視認性が低下することが想定される。この点を考慮し、制御部１００は、パターンＣである場合、周辺照度に応じてＲ輝度を段階的に増加させる。すなわち、周辺照度「中」のときにはＲガンマ値を初期値「２．２」から「２．１」に変更してＲ輝度を１段階増加させ、周辺照度「大」のときはＲガンマ値を初期値「２．２」から「２．０」に変更してＲ輝度を２段階増加させる。
【００４２】
「非夕方状態」でかつ「水平状態」である場合、パターンＤに層別される。パターンＤでは、夕焼けによる赤色の視認性の低下は生じず、さらにユーザ受光量がパターンＣよりも軽減されることが想定される。この点を考慮し、制御部１００は、パターンＤである場合、パターンＣに比べて、周辺照度「大」のときのＲ輝度の増加量を軽減する。すなわち、周辺照度「大」のときのＲガンマ値を「２．０」ではなく「２．１」とする。
【００４３】
なお、パターンＡ〜Ｄのいずれであっても、周辺照度「小」のときは、太陽光の影響が小さく画像の視認性はそれほど低下しないと考えられるため、Ｒガンマ値は初期値「２．２」に維持される。
【００４４】
このように、制御部１００は、周辺Ｒ率および画面傾きに応じて画面１１の周辺状況をパターンＡ〜Ｄに層別し、層別されたパターンに応じて画面１１のＲ輝度を増加させる。これにより、画面１１の色調は本来表現したい色調よりも赤味が多くなるが、屋外での画面１１の視認性を飛躍的に向上させることができる。
【００４５】
図６は、制御部１００がＲガンマ値を設定する処理手順を示すフローチャートである。このフローチャートは、オートバックライト機能が「有効（オン）」である場合に所定周期で繰り返し実行される。なお、オートバックライト機能が「有効（オン）」である場合に実行されるのは、画面１１の状態を自動的に変更することをユーザが許容していることを担保するためである。
【００４６】
ステップ(以下、ステップを「Ｓ」と略す)１０にて、制御部１００は、周辺照度がしきい値Ｅ０を超えるか否かを判定する。Ｓ１０は、携帯端末１が屋外の太陽光下で使用されているのか否かを判定するための処理である。
【００４７】
周辺照度がしきい値Ｅ０を超えている場合（Ｓ１０にてＹＥＳ）、制御部１００は、Ｓ２０（Ｓ２１〜Ｓ２７）に示す屋外処理によってＲガンマ値を設定する。
【００４８】
具体的には、制御部１００は、Ｓ２１にて、周辺Ｒ率がしきい値Ｐ０を超えているか否かを判定する。Ｓ２１は、上述の図５に示した「夕方状態」であるか「非夕方状態」であるのかを判定するための処理である。
【００４９】
周辺Ｒ率がしきい値Ｐ０を超えている場合（Ｓ２１にてＹＥＳ）、すなわち「夕方状態」である場合、制御部１００は、Ｓ２２にて、画面傾きがしきい値Ａ０を超えているか否かを判定する。Ｓ２２は、上述の図５に示した「傾斜状態」であるか「水平状態」であるのかを判定するための処理である。
【００５０】
画面傾きがしきい値Ａ０を超えている場合（Ｓ２２にてＹＥＳ）、制御部１００は、Ｓ２３にて、上述の図５の「パターンＡ」に示した処理によって周辺照度に応じたＲガンマ値を設定する。具体的には、制御部１００は、周辺照度が「小」のときにはＲガンマ値を初期値「２．２」に設定し、周辺照度が「中」あるいは「大」のときにはＲガンマ値を「２．０」に設定する。
【００５１】
画面傾きがしきい値Ａ０未満である場合（Ｓ２２にてＮＯ）、制御部１００は、Ｓ２４にて、上述の図５の「パターンＢ」に示した処理によって周辺照度に応じたＲガンマ値を設定する。具体的には、制御部１００は、周辺照度が「小」のときにはＲガンマ値を初期値「２．２」に設定し、周辺照度が「中」のときにはＲガンマ値を「２．１」に設定し、周辺照度が「大」のときにはＲガンマ値を「２．０」に設定する。
【００５２】
一方、周辺Ｒ率がしきい値Ｐ０未満である場合（Ｓ２１にてＮＯ）、すなわち「非夕方状態」である場合、制御部１００は、Ｓ２５にて、画面傾きがしきい値Ａ０を超えているか否かを判定する。Ｓ２５は、Ｓ２２と同様、上述の図５に示した「傾斜状態」であるか「水平状態」であるのかを判定するための処理である。
【００５３】
画面傾きがしきい値Ａ０を超えている場合（Ｓ２５にてＹＥＳ）、制御部１００は、Ｓ２６にて、上述の図５の「パターンＣ」に示した処理によって周辺照度に応じたＲガンマ値を設定する。具体的には、制御部１００は、周辺照度が「小」のときにはＲガンマ値を初期値「２．２」に設定し、周辺照度が「中」のときにはＲガンマ値を「２．１」に設定し、周辺照度が「大」のときにはＲガンマ値を「２．０」に設定する。
【００５４】
画面傾きがしきい値Ａ０未満である場合（Ｓ２５にてＮＯ）、制御部１００は、Ｓ２７にて、上述の図５の「パターンＤ」に示した処理によって周辺照度に応じたＲガンマ値を設定する。具体的には、制御部１００は、周辺照度が「小」のときにはＲガンマ値を初期値「２．２」に設定し、周辺照度が「中」あるいは「大」のときにはＲガンマ値を「２．１」に設定する。
【００５５】
なお、周辺照度がしきい値Ｅ０未満である場合（Ｓ１０にてＮＯ）、制御部１００は、Ｓ３０にて、Ｒガンマ値を屋内処理によって設定する。屋内処理においては、外光の影響が小さいため、たとえばＲガンマ値は初期値「２．２」に固定される。
【００５６】
以上のように、本実施の形態による携帯端末１は、画像を表示するための画面１１を有する表示部１０と、表示部１０の周辺の外光の量（周辺照度）および外光中の赤色成分の割合（周辺Ｒ率）を検出可能に構成された外光センサ２０と、制御部１００とを備える。制御部１００は、周辺照度がしきい値Ｅ０を超える場合、携帯端末１が屋外の太陽光下で使用されていると判定し、太陽光によって視認性が最も低下し易い赤色成分の輝度（Ｒ輝度）を増加させる。これにより、屋外での表示部１０の視認性を十分に確保することができる。
【００５７】
特に、本実施の形態においては、Ｒガンマ値を調整する（液晶層の液晶分子の状態を制御する）ことによってＲ輝度を増加させているため、バックライト光量をそれほど増加させなくても十分な視認性を確保できる。そのため、バックライト光量の増加量を抑えることができるので、携帯端末１の表面温度の上昇や消費電力の増大を抑制することができる。
【００５８】
＜変形例＞
なお、上述の実施の形態は、たとえば以下のように変更することができる。
【００５９】
（１）  上述の実施の形態においてはオートバックライト機能が有効（オン）である場合にＲガンマ値の調整を行なったが、オートバックライト機能が無効（オフ）である場合にＲガンマ値の調整を行なうようにしてもよい。
【００６０】
（２）上述の実施の形態においては図５に示したように「周辺Ｒ率」、「画面傾き」、「周辺照度」の３つのパラメータに応じてＲガンマ値を調整したが、必ずしもこれら３つのパラメータをすべて用いる必要はない。たとえば、「周辺Ｒ率」および「画面傾き」の少なくとも一方をパラメータとしてＲガンマ値を調整するようにしてもよい。
【００６１】
たとえば、「周辺Ｒ率」をパラメータとする場合には、周辺Ｒ率がしきい値Ｐ０を超える時（「夕方状態」の時）のＲガンマ値を、周辺Ｒ率がしきい値Ｐ０未満である時（「非夕方状態」の時）のＲガンマ値よりも小さくしてＲ輝度を増加させるようにすればよい。また、「画面傾き」をパラメータとする場合には、画面傾きがしきい値Ａ０を超える時（「傾斜状態」の時）のＲガンマ値を、画面傾きがしきい値Ａ０未満である時（「水平状態」の時）のＲガンマ値よりも小さくしてＲ輝度を増加させるようにすればよい。
【００６２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６３】
１  携帯端末、２  筐体、６  近接センサ、７  レシーバ、８  フロントカメラ、９  ボタン群、９Ａ，９Ｂ，９Ｃ，９Ｄ，９Ｅ，９Ｆ  ボタン、１０  表示部、１１  画面、１２  マイク、１８  リアカメラ、２０  外光センサ、２１  無線通信部、２２  アンテナ、２３  記憶部、３０  傾きセンサ、１００  制御部。
【図１】
2016224095.tif 000003
【図２】
2016224095.tif 000004
【図３】
2016224095.tif 000005
【図４】
2016224095.tif 000006
【図５】
2016224095.tif 000007
【図６】
2016224095.tif 000008